(57)【要約】【課題】利用者に別の販売機会がある商品を判別可能に提示する。【解決手段】判定部５８が、第一の販売場所で販売される商品の各々について、商品に関する第一の販売場所を含む１以上の販売場所情報に基づいて、第一の販売場所以外の第二の販売場所で販売される商品か否かを判定する。生成部６０が、第二の販売場所で販売されると判定された商品を判別可能な状態で、第一の販売場所で販売される商品の各々に関する情報を提示する。【選択図】図２
2016110558.tif 000002
【特許請求の範囲】
【請求項１】
第一の販売場所で販売される商品の各々について、前記商品に関する前記第一の販売場所を含む１以上の販売場所情報に基づいて、前記第一の販売場所以外の第二の販売場所で販売される商品か否かを判定し、
前記第二の販売場所で販売されると判定された商品を判別可能な状態で、前記第一の販売場所で販売される商品の各々に関する情報を提示する、
ことを含む処理をコンピュータに実行させる商品提示プログラム。
【請求項２】
前記第一の販売場所で販売される商品の各々に関する情報を提示する処理は、前記第二の販売場所で販売されないと判定された商品を、前記第二の販売場所で販売されると判定された商品よりも上位に並べ替えて、前記第一の販売場所で販売される商品の各々に関する情報を提示する請求項１記載の商品提示プログラム。
【請求項３】
さらに、前記提示された、前記第一の販売場所で販売される商品の各々に関する情報のうち、選択指示により選択された商品の前記販売場所情報に基づいて、前記商品が販売される前記第二の販売場所に関する情報を提示することを含む請求項１又は２記載の商品提示プログラム。
【請求項４】
前記商品が販売される前記第二の販売場所に関する情報を提示する処理は、予め用意された利用者に関する地域情報と、前記選択指示により選択された商品の前記販売場所情報とに基づいて、前記利用者に関する地域情報に対応する、前記商品が販売される前記第二の販売場所に関する情報を提示する請求項３記載の商品提示プログラム。
【請求項５】
前記商品が販売される前記第二の販売場所に関する情報を提示する処理は、前記利用者に関する地域情報と、前記選択指示により選択された商品の前記販売場所情報とに基づいて、前記利用者に関する地域情報に含まれる場所から一定範囲内における、前記商品が販売される前記第二の販売場所に関する情報を提示する請求項４記載の商品提示プログラム。
【請求項６】
前記販売場所情報は、前記商品に関する販売時期に関する情報を含み、
前記商品が販売される前記第二の販売場所に関する情報を提示する処理は、前記商品が販売される前記第二の販売場所のうち、現時点から所定期間内に存在する、前記商品が販売される前記第二の販売場所での販売機会に関する情報を提示する請求項３〜５の何れか１項記載の商品提示プログラム。
【請求項７】
前記販売場所情報は、前記商品に関する販売時期に関する情報を含み、
前記第一の販売場所で販売される商品の各々に関する情報を提示する処理は、利用者の宿泊予約の期間内に、前記宿泊予約の場所に関する前記第一の販売場所で販売される商品の各々に関する情報を提示し、
前記商品が販売される前記第二の販売場所に関する情報を提示する処理は、前記利用者の宿泊予約の期間終了時から所定期間内に前記商品が販売される前記第二の販売場所に関する情報を提示する請求項３〜請求項５の何れか１項記載の商品提示プログラム。
【請求項８】
前記第一の販売場所で販売される商品の各々に関する情報を提示する処理は、利用者の予定情報と、前記商品の販売時期及び販売場所の情報とに基づいて、前記商品が前記利用者に提供可能であると判定される場合に、前記利用者において前記第二の販売場所で販売されると判定された商品を判別可能な状態で、前記第一の販売場所で販売される商品の各々に関する情報を提示する請求項６又は７記載の商品提示プログラム。
【請求項９】
第一の販売場所で販売される商品の各々について、前記商品に関する前記第一の販売場所を含む１以上の販売場所情報に基づいて、前記第一の販売場所以外の第二の販売場所で販売される商品か否かを判定し、
前記第二の販売場所で販売されると判定された商品を判別可能な状態で、前記第一の販売場所で販売される商品の各々に関する情報を提示する、
ことを含む処理をコンピュータに実行させる商品提示方法。
【請求項１０】
第一の販売場所で販売される商品の各々について、前記商品に関する前記第一の販売場所を含む１以上の販売場所情報に基づいて、前記第一の販売場所以外の第二の販売場所で販売される商品か否かを判定する判定部と、
前記第二の販売場所で販売されると判定された商品を判別可能な状態で、前記第一の販売場所で販売される商品の各々に関する情報を提示する生成部と、
を含む、商品提示装置。
【請求項１１】
第一の販売場所で販売される商品の各々について、前記商品に関する前記第一の販売場所を含む１以上の販売場所情報に基づいて、前記第一の販売場所以外の第二の販売場所で販売される商品か否かを判定する判定部と、
前記第二の販売場所で販売されると判定された商品を判別可能な状態で、前記第一の販売場所で販売される商品の各々に関する情報を提示する生成部と、を含む、商品提示装置と、
利用者が商品の提示要求をする情報端末と、
を含む、商品提示システム。
【発明の詳細な説明】
【技術分野】
【０００１】
本発明は、商品提示プログラム、商品提示システム、商品提示方法、及び商品提示装置に関する。
【背景技術】
【０００２】
従来、コンピュータシステムにおいて、見込購買客が検出デバイスによって手書きテキストデータを入力したことを識別し、テキストパラメータに対応した旅行サービス取引の操作を実行するサービスが行われている。
【０００３】
また、観光地やイベント会場等に識別番号発行装置を設置し、実際に当該観光地等を訪れた者のみ各個人専用の識別番号及び観光業者等のＷＷＷサイトのインターネットアドレスが印字された識別番号標を発行するサービスが行われている。このサービスでは、訪問者は、訪問後に、識別番号標に印字されているインターネットアドレスに基づいて観光業者等のＷＷＷサイトにアクセスを図り、自分に発行された識別番号を入力する。そして、地域振興業者側ＰＣ装置が、入力された識別番号が正しいものであった場合に特別なサービス（土産物購入、イベント案内等）を提供する。
【先行技術文献】
【特許文献】
【０００４】
【特許文献１】特表２００３−５０４７３１号公報
【特許文献２】特開２００１−２６５９９０号公報
【発明の概要】
【発明が解決しようとする課題】
【０００５】
１つの側面では、本発明は、利用者に別の販売機会がない商品を判別可能に提示することを目的とする。
【課題を解決するための手段】
【０００６】
一つの態様として、第一の販売場所で販売される商品の各々について、前記商品に関する前記第一の販売場所を含む１以上の販売場所情報に基づいて、前記第一の販売場所以外の第二の販売場所で販売される商品か否かを判定する。そして、前記第二の販売場所で販売されると判定された商品を判別可能な状態で、前記第一の販売場所で販売される商品の各々に関する情報を提示する。
【発明の効果】
【０００７】
一つの側面として、利用者に別の販売機会がない商品を判別可能に提示することができる、という効果を有する。
【図面の簡単な説明】
【０００８】
【図１】本実施形態に係る産物提示装置を含むシステム構成を示す概略図である。
【図２】本実施形態に係る産物提示装置の機能ブロック図である。
【図３】会員情報リストの一例を示す図である。
【図４】予約情報リストの一例を示す図である。
【図５】朝市情報リストの一例を示す図である。
【図６】宿泊施設情報リストの一例を示す図である。
【図７】産物情報リストの一例を示す図である。
【図８】物産展情報リストの一例を示す図である。
【図９】メニュー画面の一例を示す図である。
【図１０】ログインエラー画面の一例を示す図である。
【図１１】産物一覧のボタンを押下した一例を示す図である。
【図１２】別の販売機会のある産物の表示の一例を示す図である。
【図１３】予め定められた順に並べた産物一覧画面の表示の一例を示す図である。
【図１４】産物情報画面の表示の一例を示す図である。
【図１５】別の販売機会のある産物の産物情報画面の表示の一例を示す図である。
【図１６】クーポン発行のボタンを押下した一例を示す図である。
【図１７】クーポン画面の表示の一例を示す図である。
【図１８】本実施形態に係る産物提示装置として機能するコンピュータの概略構成を示すブロック図である。
【図１９】認証処理の一例を示すフローチャートである。
【図２０】産物提示処理の一例を示すフローチャートである。
【図２１】産物情報提示処理の一例を示すフローチャートである。
【図２２】利用者毎に産物一覧画面の表示が相違する一例を示す図である。
【図２３】利用者毎に産物一覧画面の表示が相違する一例を示す図である。
【図２４】産物一覧画面の一例を示す図である。
【図２５】産物一覧画面の一例を示す図である。
【図２６】産物一覧画面の一例を示す図である。
【図２７】産物一覧画面の一例を示す図である。
【図２８】産物一覧画面の一例を示す図である。
【図２９】産物一覧画面の一例を示す図である。
【図３０】産物情報画面の一例を示す図である。
【発明を実施するための形態】
【０００９】
以下、開示する技術に係る実施形態について説明する。
【００１０】
本実施形態では、朝市で販売する産物を提示する産物提示装置に、開示の技術の商品提示装置を適用した場合について説明する。なお、産物は、開示の技術における商品の一例である。また、朝市は、開示の技術における第一の販売場所の一例であり、物産展は、開示の技術における第二の販売場所の一例である。
【００１１】
朝市には、一般的に広く流通しないような珍しい特産物や、採りたての産物など、その希少さや新鮮さを、利用者に提供できるという価値がある。また、朝市には、人々に、その地域の産物を購入して、食べてみたいと思わせる魅力がある。さらに、朝市の活気やコミュニケーションも魅力である。このように、朝市は、（１）産物を食べられる期待感という楽しみ、（２）実際に産物を食べる楽しみ、（３）朝市自体を体験する楽しみ、を提供できる。
【００１２】
ところで、例えば、東京の人が北海道の朝市に行くことを想定すると、わざわざ朝市のためだけに北海道に行くことはないと考えられる。そのため、旅行の行程中の一つのイベントとして朝市に行くと考えるのが自然である。
【００１３】
旅行には、「時間ごとに居場所を移動する」という性質、スケジュールの制約等がある。そのため、「開催時間帯が限られる朝市には行けない」、「朝市には行けるが、買った産物を旅行中に調理して食べられない」、「レストラン等で旅行先の産物は食べられるが朝市には行けない」という問題が旅行者に生じ得る。そこで、ＩＣＴ（Information and Communications Technology）上のサービスとしての朝市を提供することにより、上記（１）〜（３）の全ての楽しみを旅行者に提供可能とする。
【００１４】
ＩＣＴ上の朝市サービスでは、現実に開催されている朝市で販売されている産物の購買が可能である。例えば、旅行日程中の朝などに、旅行者が朝市サービスを利用して産物を購入し、旅行者が購入した産物を、朝市が開催される町の、当該旅行者が宿泊するホテル等に配送し、当該旅行者に調理して提供する。これにより、制約のある旅行中であっても、上記（１）〜（３）のような朝市の固有の価値を旅行者に提供することができる。ひいては、旅行者にとっては、旅行を充実したものにし、朝市を開催する自治体にとっては、旅行者が増えることで町興しに貢献することを目的としている。
【００１５】
近年、地域の産物を集めて販売する物産展や食のフェアが多く開催されている。もし、旅行者が、朝市で提供されるたくさんの産物の中から、選んで購入し食べた産物が、旅行から帰った後に自身の居住地域の近くで開催される物産展でも購入できた産物だったと後からわかったとき、旅行で得た充実感や満足感が損なわれてしまう。
【００１６】
そこで、本実施形態では、たくさんある産物のうち、旅行者にとって別の機会に購入できる産物か否かを、産物を選ぶ時点で旅行者に対して視認可能な状態とさせることを特徴としている。なお、本実施形態では、旅行に、出張や宿泊研修など、普段住んでいるところとは異なる場所へ宿泊することを含めてもよい。
【００１７】
以下、図面を参照して、本実施形態について詳細に説明する。
【００１８】
図１は、産物提示システム５の一例である。図１に示すように、産物提示システム５は、産物提示装置１と、利用者端末３と、主催者端末４とを有する。本実施形態に係る産物提示装置１は、インターネット等のネットワーク２を介して、利用者用の利用者端末３、及び物産展情報入力部を有するサービス提供者用の主催者端末４と相互に通信可能に接続される。なお、図１における利用者端末、及び主催者端末は、各々１つずつの場合について図示したが、各端末の数は図示の例に限定されず、産物提示システム５は任意の数の利用者端末及び主催者端末を有することができる。
【００１９】
図２に、本実施形態に係る産物提示装置１の機能ブロック図を示す。図２に示すように、産物提示装置１は、会員情報データベース（ＤＢ）３２、予約情報ＤＢ３４、朝市情報ＤＢ３６、宿泊施設ＤＢ３８、産物情報ＤＢ４０、物産展情報ＤＢ４２、及びページ情報ＤＢ４４を含む記憶部３０を有する。また、産物提示装置１は、認証部５２、朝市特定部５４、物産展特定部５６、判定部５８、及び生成部６０を含む画面生成部５０と、切替部６２と、登録部６４とを有する。
【００２０】
会員情報ＤＢ３２には、例えば図３に示すような会員情報リスト１００が記憶される。図３の例の会員情報リスト１００には、産物提示装置１により提供されるサービスの利用者である会員の各々について、当該会員の、会員ＩＤと、氏名と、Ｅ−ｍａｉｌと、居住地域との組み合わせが、当該会員の会員情報として記憶されている。ここで、居住地域には、自宅、勤務地等の利用者に関する地域情報が記憶されている。なお、自宅、勤務地等の利用者に関する地域情報は、自宅、勤務地等の位置情報に基づいて、例えば、その市町村区、隣接する都市等、又はそれらの地域から予め定められた一定の範囲を利用者に関する居住地域として含めてもよい。
【００２１】
予約情報ＤＢ３４には、例えば図４に示すような予約情報リスト１０２が記憶される。図４の例の予約情報リスト１０２には、会員による宿泊施設の予約毎に、予約した会員の会員ＩＤと、予約された宿泊施設の宿泊施設ＩＤと、チェックイン日と、チェックアウト日との組み合わせが、予約情報として記憶されている。なお、予約情報は、開示の技術における予定情報の一例である。
【００２２】
朝市情報ＤＢ３６には、例えば図５に示すような朝市情報リスト１０４が記憶される。図５の例の朝市情報リスト１０４には、現実に開催される朝市毎に、朝市ＩＤと、朝市名と、開催日との組み合わせが、朝市情報として記憶されている。
【００２３】
宿泊施設ＤＢ３８には、例えば図６に示すような宿泊施設情報リスト１０６が記憶される。図６の例の宿泊施設情報リスト１０６には、朝市ＩＤに対応付けて、宿泊施設ＩＤと、宿泊施設名との組み合わせが、宿泊施設情報として記憶されている。朝市で利用者により購入された産物を、宿泊施設にて提供可能とするため、朝市情報と宿泊施設情報とが対応付けられて記憶されている。なお、本実施形態では宿泊施設を例に記載しているが、宿泊施設に限定されず、近隣の飲食店等であっても構わない。
【００２４】
産物情報ＤＢ４０には、例えば図７に示すような産物情報リスト１０８が記憶される。図７の例の産物情報リスト１０８には、産物毎に、産物ＩＤと、産物名と、カテゴリと、価格と、在庫数と、限定数と、画像データ（図示省略）と、の組み合わせが、産物情報として記憶されている。限定数とは、対象となる産物の１日に販売可能な数量である。産物情報は、たとえば、朝市の当日に、朝市の主催者等から産物が登録されることで生成される。図７で図示する産物情報ＤＢは、朝市ＩＤ「Ａ００２」の産物情報である。なお、本実施形態では、産物情報リスト１０８は、朝市毎に別々のリストとして記憶されるよう図示している。
【００２５】
物産展情報ＤＢ４２には、例えば図８に示すような物産展情報リスト１１０が記憶される。図８の例の物産展情報リスト１１０には、産物ＩＤ毎に、該当の産物ＩＤが示す産物が出品される物産展が開催される地域、期間、開催場所、物産展名、出品商品名、及び、クーポン情報との組み合わせが、物産展情報として記憶されている。出品商品名とは、物産展出品時の産物の商品名や、産物の関連商品名等である。クーポン情報についての詳細は後述する。
【００２６】
ページ情報ＤＢ４４には、予め定められた、メニュー画面やログインエラー画面等のページ情報が記憶されている。また、ページ情報ＤＢ４４には、生成部６０において生成されたページ情報が記憶される。なお、本実施形態においては、ページ情報ＤＢ４４への情報を格納する図は省略するものとする。
【００２７】
認証部５２は、利用者端末３から受信した利用者の会員ＩＤと、会員情報リスト１００と、予約情報リスト１０２とに基づいて、当該利用者がログインできるか否かの認証を行う。具体的には、まず、認証部５２は、利用者端末３から受信した会員ＩＤが、会員情報リスト１００に存在するか否か判定する。次に、認証部５２は、当該会員ＩＤが存在する場合には、予約情報リスト１０２の会員ＩＤの欄に、当該会員ＩＤが存在するか否か判定する。そして、認証部５２は、当該会員ＩＤが予約情報リスト１０２の会員ＩＤの欄に存在する場合には、当該利用者のログインを許可すると共に、ページ情報ＤＢ４４に記憶されている図９に示すようなメニュー画面の情報を利用者端末３に送信する。一方、認証部５２は、会員情報リスト１００、又は予約情報リスト１０２に当該会員ＩＤが存在しない場合には、ログインを拒否し、ページ情報ＤＢ４４に記憶されている図１０に示すようなログインエラー画面の情報を利用者端末３に送信する。
【００２８】
朝市特定部５４は、利用者端末３により図１１に示すように産物一覧のボタンを押下した押下情報を受け付ける。そして、朝市特定部５４は、ログインを許可された利用者の会員ＩＤと、予約情報リスト１０２と、宿泊施設情報リスト１０６と、朝市情報リスト１０４とに基づいて利用者が利用する朝市を特定する。具体的には、まず、朝市特定部５４は、予約情報リスト１０２において、ログインを許可された利用者の会員ＩＤと対応する宿泊施設ＩＤを取得する。次に、朝市特定部５４は、宿泊施設情報リスト１０６において、当該宿泊施設ＩＤと対応する朝市ＩＤを取得する。そして、朝市特定部５４は、取得された朝市ＩＤに対応する朝市名及び開催日を、朝市情報リスト１０４から取得し、当該利用者の利用する朝市として特定する。また、朝市特定部５４は、取得した朝市ＩＤに対応する産物情報リスト１０８を特定し、以後の処理において当該産物情報リスト１０８を用いる。
【００２９】
また、朝市特定部５４は、取得した朝市ＩＤと、産物情報リスト１０８と、に基づいて、当該利用者の利用する朝市において出品される産物の各々を特定する。具体的には、朝市特定部５４は、取得した朝市ＩＤに対応する産物情報リスト１０８を取得する。次に、朝市特定部５４は、取得した産物情報リスト１０８に存在する産物の各々の産物ＩＤと産物名の組み合わせを取得する。取得した産物名の各々が、当該利用者が利用する朝市において出品される産物となる。
【００３０】
物産展特定部５６は、ログインを許可された会員ＩＤと、会員情報リスト１００と、予約情報リスト１０２と、物産展情報リスト１１０と、に基づいて、利用者のチェックアウト後に利用者の居住地域において開催される物産展名を特定する。具体的には、まず、物産展特定部５６は、会員情報リスト１００に存在する、当該ログインを許可された利用者の会員ＩＤに対応する居住地域の各々を取得する。次に、物産展特定部５６は、予約情報リスト１０２に存在する当該ログインを許可された利用者の会員ＩＤに対応するチェックアウト日を取得する。そして、物産展特定部５６は、物産展情報リスト１１０の地域及び期間の欄の情報と、取得した居住地域及びチェックアウト日とに基づいて、チェックアウト日以降に、利用者の居住地域の各々において開催される物産展名を取得する。なお、チェックアウト日以降の一定期間内に開催される物産展を対象にしてもよい。また、物産展特定部５６は、取得した物産展名の各々について、当該物産展名に対応する産物ＩＤの各々を、物産展情報リスト１１０から取得する。
【００３１】
判定部５８は、朝市特定部５４で特定された朝市において出品される産物の、該当の朝市以外の別の販売機会があるか否かを判定する。具体的には、判定部５８は、朝市特定部５４において取得された産物ＩＤの各々について、物産展特定部５６において取得された産物ＩＤの各々と比較する。なお、朝市特定部５４において取得された産物ＩＤは、特定された朝市に出品される産物の産物ＩＤであり、物産展特定部５６において取得された産物ＩＤは、特定された物産展に出品される産物の産物ＩＤである。そして、判定部５８は、朝市特定部５４において取得された産物ＩＤの各々について、物産展特定部５６において取得された産物ＩＤに一致する産物ＩＤが存在する場合には、当該産物ＩＤに対応する産物について別の販売機会があると判定する。また、判定部５８は、一致する産物ＩＤが存在しない場合には、当該産物ＩＤに対応する産物について別の販売機会がないと判定する。なお、判定部５８は、物産展特定部５６において対象となる物産展が特定されなかった場合には、朝市特定部５４において取得した産物ＩＤに対応する産物の全ては、別の販売機会がないと判定する。
【００３２】
生成部６０は、判定部５８よる判定結果に基づいて産物一覧画面を生成し、ページ情報ＤＢ４４に記憶すると共に、利用者端末３に送信する。具体的には、まず、生成部６０は、産物情報リスト１０８から、朝市特定部５４で取得された産物ＩＤの各々に対応する産物名の各々を取得する。次に、生成部６０は、判定部５８において別の販売機会がある産物と判定された産物については、図１２に示す産物「幻の柚子」のように、例えば産物名の表示の右側にマーク（図１２の例では「商品情報」の表示）を付与する。そして、生成部６０は、判定部５８において別の販売機会がないと判定された産物を上位に、判定部５８において別の販売機会があると判定された産物を、別の販売機会がないと判定された産物の下位に配置する。そして、生成部６０は、朝市特定部５４において取得した朝市名と開催日を図１２に示すように、ページ最上位に配置した産物一覧画面を生成する。なお、生成部６０は、別の販売機会がある産物の各々、及び別の販売機会がない産物の各々について、予め定められた並び順で配置する。なお、予め定められた並び順は、産物情報リスト１０８に基づいて、例えば、産物ＩＤ順、名前順、カテゴリ順等とすることができる。また、おすすめ順、売れ筋順等の情報を産物情報リスト１０８に記憶しておき、これらの情報に基づいた並び順としてもよい。また、判定部５８において、朝市特定部５４で取得した全ての産物ＩＤに対応する産物が別の販売機会がない産物と判定された場合、図１３に示すような産物一覧画面を生成する。
【００３３】
また、生成部６０は、朝市特定部５４において取得した産物ＩＤの各々に対応する産物の各々について、産物情報画面を生成する。具体的には、生成部６０は、産物情報リスト１０８から、当該産物ＩＤに対応する産物名、価格、限定数、及び画像データを取得し、図１４に示すような産物情報画面を生成し、当該産物ＩＤに対応する産物の産物情報画面としてページ情報ＤＢ４４に記憶する。また、生成部６０は、当該産物ＩＤに対応する産物が判定部５８において、別の販売機会があると判定された産物である場合には、物産展特定部５６で特定された物産展に関する物産展情報を物産展情報リスト１１０から取得する。そして、生成部６０は、図１５に示すように、当該産物ＩＤに対応する物産展情報を付加した産物情報画面を生成し、当該産物ＩＤに対応する産物の産物情報画面としてページ情報ＤＢ４４に記憶する。また、生成部６０は、当該産物ＩＤに対応する産物が判定部５８において、別の販売機会があると判定された産物である場合には、当該産物ＩＤに対応する産物のクーポン画面を生成する。具体的には、生成部６０は、物産展情報リスト１１０の当該産物ＩＤに対応するクーポン情報を取得し、図１７に示すような、クーポン画面を生成し、当該産物ＩＤに対応する産物のクーポン画面としてページ情報ＤＢ４４に記憶する。
【００３４】
また、生成部６０は、図１２に示すような産物一覧画面において、何れかの産物名を利用者が押下した場合に、図１４又は図１５に示すような産物情報画面に遷移するように、産物一覧画面の産物名と各産物情報画面とを対応付けて、各ページ情報を生成する。また、生成部６０は、図１５に示すような産物情報画面において、図１６に示すように、クーポン画面へ遷移するための表示（図１６では、「クーポン発行」の表示）を利用者が押下した場合に、図１７に示すクーポン画面に遷移するようにページ情報を生成する。具体的には、生成部６０は、産物情報画面の「クーポン発行」の表示と、該当の産物情報画面が示す産物の産物ＩＤに対応するクーポン情報を示すクーポン画面とを対応付けて、各ページ情報を生成する。
【００３５】
切替部６２は、利用者端末３から、産物一覧画面の何れかの産物名を押下された押下情報を受信すると、ページ情報ＤＢ４４に記憶されている、押下情報が示す産物名に対応する産物の産物情報画面を示すページ情報を取得し、利用者端末３に送信する。また、切替部６２は、産物情報画面における「クーポン発行」が押下された押下情報を受信すると、ページ情報ＤＢ４４に記憶されている、押下情報が示すクーポン情報に対応する産物のクーポン画面を示すページ情報を取得し、利用者端末３に送信する。
【００３６】
登録部６４は、利用者端末３、及び主催者端末４から登録情報（会員情報、予約情報、朝市情報、宿泊施設情報、産物情報、及び物産展情報）を受け付けると、登録情報の各々を、記憶部３０の対象となるデータベースの各々に記憶する。
【００３７】
また、図示は省略するが、産物提示装置１は、利用者端末３から、産物情報画面に設けられた購入を指示するための表示が押下された押下情報を受信すると、当該産物の購入処理を行う。購入処理については、一般的なオンラインショッピングの処理を適用することができるため、ここでは、詳細な説明を省略する。
【００３８】
産物提示装置１は、例えば図１８に示すコンピュータ２００で実現することができる。コンピュータ２００はＣＰＵ２０２、一時記憶領域としてのメモリ２０４、及び不揮発性の記憶装置２０６を備える。また、コンピュータ２００は、入出力装置２０８が接続される入出力インターフェース（Ｉ／Ｆ）２１０を備える。また、コンピュータ２００は、記録媒体２１２に対するデータの読み込み及び書き込みを制御するｒｅａｄ／ｗｒｉｔｅ（Ｒ／Ｗ）部２１４、及びインターネット等のネットワーク２に接続されるネットワークＩ／Ｆ２１６を備える。ＣＰＵ２０２、メモリ２０４、記憶装置２０６、入出力Ｉ／Ｆ２１０、Ｒ／Ｗ部２１４、及びネットワークＩ／Ｆ２１６は、バス２１８を介して互いに接続される。
【００３９】
記憶装置２０６はＨＤＤ（Hard Disk Drive）、ＳＳＤ（solid state drive）、フラッシュメモリ等によって実現できる。記憶媒体としての記憶装置２０６には、コンピュータ２００を産物提示装置１として機能させるための認証プログラム３００、産物提示プログラム３２０、及び産物情報提示プログラム３４０が記憶される。また、記憶装置２０６は、会員情報が記憶される会員情報記憶領域３５０と、予約情報が記憶される予約情報記憶領域３５２と、朝市情報が記憶される朝市情報記憶領域３５４と、宿泊施設情報が記憶される宿泊施設情報記憶領域３５６とを有する。また、記憶装置２０６は、産物情報が記憶される産物情報記憶領域３５８と、物産展情報が記憶される物産展情報記憶領域３６０と、ページ情報が記憶されるページ情報記憶領域３６２とを有する。
【００４０】
ＣＰＵ２０２は、認証プログラム３００、産物提示プログラム３２０、及び産物情報提示プログラム３４０を記憶装置２０６から読みだしてメモリ２０４に展開する。また、ＣＰＵ２０２は、認証プログラム３００、産物提示プログラム３２０、及び産物情報提示プログラム３４０が有するプロセスを順次実行する。また、ＣＰＵ２０２は、会員情報記憶領域３５０に記憶された会員情報を読み出し、会員情報ＤＢ３２としてメモリ２０４に展開する。また、ＣＰＵ２０２は、予約情報記憶領域３５２に記憶された予約情報を読み出し、予約情報ＤＢ３４としてメモリ２０４に展開する。また、ＣＰＵ２０２は、朝市情報記憶領域３５４に記憶された朝市情報を読み出し、朝市情報ＤＢ３６としてメモリ２０４に展開する。また、ＣＰＵ２０２は、宿泊施設情報記憶領域３５６に記憶された宿泊施設情報を読み出し、宿泊施設ＤＢ３８としてメモリ２０４に展開する。また、ＣＰＵ２０２は、産物情報記憶領域３５８に記憶された産物情報を読み出し、産物情報ＤＢ４０としてメモリ２０４に展開する。また、ＣＰＵ２０２は、物産展情報記憶領域３６０に記憶された物産展情報を読み出し、物産展情報ＤＢ４２としてメモリ２０４に展開する。また、ＣＰＵ２０２は、ページ情報記憶領域３６２に記憶されたページ情報を読み出し、ページ情報ＤＢ４４としてメモリ２０４に展開する。
【００４１】
認証プログラム３００は、認証プロセス３０２を有する。
【００４２】
ＣＰＵ２０２は、認証プロセス３０２を実行することで、図２に示す認証部５２として動作する。
【００４３】
産物提示プログラム３２０は、朝市特定プロセス３２２と、物産展特定プロセス３２４と、判定プロセス３２６と、生成プロセス３２８とを有する。
【００４４】
ＣＰＵ２０２は、朝市特定プロセス３２２を実行することで、図２に示す朝市特定部５４として動作する。また、物産展特定プロセス３２４を実行することで、図２に示す物産展特定部５６として動作する。また、判定プロセス３２６を実行することで、図２に示す判定部５８として動作する。また、生成プロセス３２８を実行することで、図２に示す生成部６０として動作する。
【００４５】
産物情報提示プログラム３４０は、切替プロセス３４２を有する。
【００４６】
ＣＰＵ２０２は、切替プロセス３４２を実行することで、図２に示す切替部６２として動作する。
【００４７】
これにより、認証プログラム３００、産物提示プログラム３２０、及び産物情報提示プログラム３４０を実行したコンピュータ２００が、産物提示装置１として機能することになる。
【００４８】
なお、産物提示装置１は、例えば半導体集積回路、より詳しくはＡＳＩＣ（Application Specific Integrated Circuit）等で実現することも可能である。
【００４９】
次に、本実施形態に係る産物提示装置１の作用について説明する。まず、利用者端末３において受信された会員ＩＤを、産物提示装置１が受け付けると、産物提示装置１において、図１９に示す認証処理が実行される。認証処理においてログイン状態と認証された状態で、利用者端末３から、メニュー画面における産物一覧表示が押下された押下情報を産物提示装置１が受け付けると、産物提示装置１において、図２０に示す産物提示処理が実行される。そして、産物提示装置１から産物一覧画面を示すページ情報が利用者端末３へ送信される。当該状態で、産物一覧画面から何れかの産物名が押下された押下情報が受信されると、産物提示装置１において、図２１に示す産物情報提示処理が実行され、産物情報画面を示すページ情報が送信される。なお、産物提示装置１により実行される認証処理、産物提示処理、及び産物情報提示処理は、開示する技術の産物提示方法の一例である。以下、各処理について詳述する。
【００５０】
まず、図１９に示す認証処理について説明する。
【００５１】
図１９は、認証処理の一例を示すフローチャートである。図１９に示す認証処理のフローチャートにおいて、まず、ステップＳ１００で、認証部５２は、会員情報ＤＢ３２から会員情報リスト１００を取得する。
【００５２】
次に、ステップＳ１０２で、認証部５２は、ステップＳ１００において取得した会員情報リスト１００に、受信した会員ＩＤが存在するか否かを判定する。会員ＩＤが存在する場合には、ステップＳ１０４へ移行し、会員ＩＤが存在しない場合には、ステップＳ１０６へ移行する。
【００５３】
次に、ステップＳ１０４で、認証部５２は、予約情報ＤＢ３４から予約情報リスト１０２を取得する。
【００５４】
ステップＳ１０８で、認証部５２は、ステップＳ１０４において取得した予約情報リスト１０２に、受信した会員ＩＤが存在するか否かを判定する。当該会員ＩＤが存在する場合には、ステップＳ１１０へ移行し、当該会員ＩＤが存在しない場合には、ステップＳ１０６へ移行する。
【００５５】
次に、ステップＳ１１０で、認証部５２は、ページ情報ＤＢ４４からメニュー画面を示す情報を取得し、当該利用者についてログインを許可し、メニュー画面を示す情報を利用者端末３へ送信し、認証処理を終了する。
【００５６】
ステップＳ１０６で、認証部５２は、ページ情報ＤＢ４４からログインエラー画面を示す情報を取得し、当該ログインエラー画面を示す情報を利用者端末３に送信して認証処理を終了する。
【００５７】
次に、図２０に示す産物提示処理について説明する。
【００５８】
図２０は、産物提示処理の一例を示すフローチャートである。図２０に示す産物提示処理において、ステップＳ２００からステップＳ２０６の処理で、記憶装置に記憶されている情報を取得する。まず、ステップＳ２００で、朝市特定部５４は、宿泊施設ＤＢ３８から宿泊施設情報リスト１０６を取得する。
【００５９】
次に、ステップＳ２０２で、朝市特定部５４は、朝市情報ＤＢ３６から朝市情報リスト１０４を取得する。
【００６０】
次に、ステップＳ２０４で、朝市特定部５４は、産物情報ＤＢ４０から産物情報リスト１０８を取得する。
【００６１】
次に、ステップＳ２０６で、朝市特定部５４は、物産展情報ＤＢ４２から物産展情報リスト１１０を取得する。
【００６２】
次に、ステップＳ２０８で、朝市特定部５４は、ステップＳ１０４において取得した予約情報リスト１０２と、受信した会員ＩＤとに基づいて、利用者の宿泊施設ＩＤを取得する。
【００６３】
次に、ステップＳ２１０で、朝市特定部５４は、ステップＳ２００において取得した宿泊施設情報リスト１０６と、ステップＳ２０８で取得した宿泊施設ＩＤとに基づいて、当該宿泊施設ＩＤに対応する朝市ＩＤを取得する。
【００６４】
次に、ステップＳ２１１で、朝市特定部５４は、ステップＳ２１０において取得した朝市ＩＤと、ステップＳ２０２において取得した朝市情報リスト１０４とに基づいて、当該朝市ＩＤに対応する朝市名及び開催日を取得する。
【００６５】
次に、ステップＳ２１２で、朝市特定部５４は、ステップＳ２０４において取得した産物情報リスト１０８のうち、ステップＳ２１０で取得した朝市ＩＤに対応する産物情報リスト１０８を取得する。また、ステップＳ２１２で、朝市特定部５４は、当該取得した産物情報リスト１０８と、ステップＳ２１０で取得した朝市ＩＤとに基づいて、当該朝市ＩＤに対応する朝市に出品される産物の産物ＩＤの各々を取得する。
【００６６】
次に、ステップＳ２１４で、物産展特定部５６は、ステップＳ１００において取得した会員情報リスト１００と、受信した会員ＩＤとに基づいて、当該利用者の居住地域の各々を取得する。
【００６７】
次に、ステップＳ２１６で、物産展特定部５６は、ステップＳ１０４において取得した予約情報リスト１０２と、受信した会員ＩＤとに基づいて、当該利用者のチェックアウト日を取得する。
【００６８】
次に、ステップＳ２１８で、物産展特定部５６は、取得した物産展情報リスト１１０と、取得した居住地域の各々と、取得したチェックアウト日とに基づいて、チェックアウト日以降に、利用者の居住地域の各々において開催される物産展名を取得する。
【００６９】
次に、ステップＳ２２０で、物産展特定部５６は、ステップＳ２１８において少なくとも１つ以上の物産展名が取得されたか否かを判定する。少なくとも１つ以上の物産展名が取得された場合には、ステップＳ２２２へ移行し、物産展名が１つも取得されなかった場合には、ステップＳ２２４へ移行する。
【００７０】
次に、ステップＳ２２２で、物産展特定部５６は、ステップＳ２１８において取得した物産展名の各々について、ステップＳ２０６において取得した物産展情報リスト１１０に基づいて、当該物産展名に対応する産物ＩＤの各々を取得する。
【００７１】
次に、ステップＳ２２６で、判定部５８は、ステップＳ２１２において取得した対象となる朝市の対象となる産物ＩＤと、ステップＳ２２２において取得した物産展名毎に対応する産物ＩＤの各々とが、一致するか否かを判定する。判定部５８は、対象となる産物ＩＤが少なくとも１つ以上の物産展名毎の産物ＩＤの各々と一致する場合には、ステップＳ２２８へ移行する。一方、判定部５８は、対象となる産物ＩＤが物産展名毎の産物ＩＤの各々と一致しない場合には、ステップＳ２３０へ移行する。
【００７２】
ステップＳ２２８で、判定部５８は、対象となる産物ＩＤに対応する産物が別の販売機会がある産物と判定する。
【００７３】
ステップＳ２３０で、判定部５８は、対象となる産物ＩＤに対応する産物が別の販売機会がない産物と判定する。
【００７４】
次に、ステップＳ２３２で、判定部５８は、全ての対象となる産物ＩＤについてステップＳ２２６〜ステップＳ２２８又は、ステップＳ２３０までの処理を終了したか否かを判定する。判定部５８は、全ての対象となる産物ＩＤについてステップＳ２２６〜ステップＳ２２８、又はステップＳ２３０までの処理を終了している場合には、ステップＳ２３４へ移行する。一方、判定部５８は、全ての対象となる産物ＩＤについてステップＳ２２６〜ステップＳ２２８、又はステップＳ２３０までの処理を終了していない場合には、対象となる産物ＩＤを変更して、処理を繰り返す。
【００７５】
次に、ステップＳ２３４で、生成部６０は、ステップＳ２１２において取得した産物ＩＤのうち少なくとも１つ以上の産物ＩＤに対応する産物が、ステップＳ２２８において別の販売機会がある産物と判定されたか否かを判定する。生成部６０は、少なくとも１つ以上の産物ＩＤに対応する産物が別の販売機会がある産物と判定された場合には、ステップＳ２３６へ移行する。一方、生成部６０は、少なくとも１つ以上の産物ＩＤに対応する産物が、別の販売機会がある産物と判定されていない場合には、ステップＳ２２４へ移行する。
【００７６】
ステップＳ２３６で、生成部６０は、図１２に示すように、ステップＳ２２８において別の販売機会があると判定された産物について、産物情報リスト１０８から取得される、当該産物の産物ＩＤに対応する産物名とマークとが表示されるように設定する。
【００７７】
次に、ステップＳ２３８で、生成部６０は、ステップＳ２３０において別の販売機会がない産物と決定された産物について、産物情報リスト１０８から取得される、当該産物の産物ＩＤに対応する産物名の各々を予め定められた順に並べる。また、生成部６０は、並べた下に、別の販売機会がある産物の各々を、ステップＳ２３６において設定したマークと産物名とが表示されるように予め定められた順に並べて、産物一覧画面を生成し、ページ情報ＤＢ４４に記憶する。
【００７８】
次に、ステップＳ２４０で、生成部６０は、産物一覧画面に含まれる産物の産物ＩＤの１つを処理対象となる産物ＩＤとして選択する。そして、生成部６０は、ステップＳ２２８又はＳ２３０の判定結果に基づいて、処理対象となる産物ＩＤに対応する産物が別の販売機会があるか否か判定する。生成部６０は、対象となる産物ＩＤに対応する産物が別の販売機会がある場合には、ステップＳ２４２へ移行する。一方、生成部６０は、処理対象となる産物ＩＤに対応する産物が別の販売機会がない場合には、ステップＳ２４６へ移行する。
【００７９】
次に、ステップＳ２４２で、生成部６０は、ステップＳ２１２において取得した産物情報リスト１０８と、物産展情報リスト１１０とに基づいて、処理対象となる産物ＩＤに対応する産物について、物産展情報を付加した産物情報画面を生成する。また、生成部６０は、生成した処理対象となる産物ＩＤに対応する産物についての物産展情報を付加した産物情報画面をページ情報ＤＢ４４に記憶する。
【００８０】
次に、ステップＳ２４４で、生成部６０は、ステップＳ２０６において取得した物産展情報リスト１１０に基づいて、処理対象となる産物ＩＤに対応する産物のクーポン画面を生成し、ページ情報ＤＢ４４に記憶する。
【００８１】
ステップＳ２４６で、生成部６０は、ステップＳ２１２において取得した産物情報リスト１０８に基づいて、処理対象となる産物ＩＤに対応する産物の産物情報画面を生成し、ページ情報ＤＢ４４に記憶する。
【００８２】
次に、ステップＳ２４８で、生成部６０は、産物一覧画面に含まれる全ての産物についてステップＳ２４０〜ステップＳ２４４又はステップＳ２４６の処理を終了したか否かを判定する。生成部６０は、産物一覧画面に含まれる全ての産物についてステップＳ２４０〜ステップＳ２４４又はステップＳ２４６の処理を終了している場合には、産物提示処理を終了する。一方、生成部６０は、産物一覧画面に含まれる全ての産物についてステップＳ２４０〜ステップＳ２４４又はステップＳ２４６の処理を終了していない場合には、処理対象となる産物ＩＤを変更し、ステップＳ２４０へ移行する。
【００８３】
ステップＳ２２４で、生成部６０は、ステップＳ２１２において取得した産物ＩＤの各々に対応する産物名を、ステップＳ２１２において取得した産物情報リスト１０８から取得し、予め定められた順に並べて産物一覧画面を生成し、ページ情報ＤＢ４４に記憶する。
【００８４】
次に、ステップＳ２２５で、生成部６０は、ステップＳ２１２において取得した産物情報リスト１０８に基づいて、処理対象となる産物ＩＤに対応する産物の産物情報画面を生成し、ページ情報ＤＢ４４に記憶する。
【００８５】
ステップＳ２５０で、生成部６０は、ステップＳ２３８又はステップＳ２２４において生成した産物一覧画面を利用者端末３に送信して産物提示処理を終了する。
【００８６】
次に、図２１に示す産物情報提示処理について説明する。
【００８７】
図２１は、産物情報提示処理の一例を示すフローチャートである。図２１に示す産物情報提示処理のフローチャートにおいて、まず、ステップＳ３００で、切替部６２は、受信された産物名を押下した押下情報が、別の販売機会がある産物に対してのものか否かを判定する。切替部６２は、別の販売機会がある産物についての押下情報である場合には、ステップＳ３０２へ移行し、別の販売機会がない産物についての押下情報である場合には、ステップＳ３０８へ移行する。
【００８８】
ステップＳ３０２で、切替部６２は、ページ情報ＤＢ４４に記憶されている対象となる産物の、ステップＳ２４２において生成した産物情報画面を示す情報を利用者端末３に送信する。
【００８９】
ステップＳ３０４で、切替部６２は、クーポン発行ボタンを押下した情報を受け付けたか否かを判定する。切替部６２は、クーポン発行ボタンを押下した情報を受け付けた場合には、ステップＳ３０６へ移行する。一方、切替部６２は、クーポン発行ボタンを押下した情報を受け付けていない場合には、産物情報提示処理を終了する。
【００９０】
次に、ステップＳ３０６で、切替部６２は、ステップＳ２４４において生成したページ情報ＤＢ４４に記憶されている対象となる産物のクーポン画面を示す情報を利用者端末３に送信して産物情報提示処理を終了する。
【００９１】
ステップＳ３０８で、切替部６２は、ステップＳ２４６、又はステップＳ２５５において生成した、ページ情報ＤＢ４４に記憶されている対象となる産物の産物情報画面を示す情報を利用者端末３に送信して産物情報提示処理を終了する。
【００９２】
以上説明したように、本実施形態によれば、利用者において別の販売場所での販売機会があると判定された商品を判別可能な状態で、特定の販売場所での販売機会で販売される商品の各々を提示する。これにより、利用者に別の販売機会がない商品を判別可能に提示することができる。
【００９３】
また、本実施形態によれば、沢山ある産物のうち、旅行者にとって別の機会に購入できる産物か否かを、産物を選ぶ時点で旅行者に対して視認可能な状態にすることができる。
【００９４】
また、本実施形態によれば、利用者により希少価値の高い産物を提示することができる。
【００９５】
また、本実施形態によれば、図２２、及び図２３に示すように、利用者毎に、当該利用者に適した産物一覧画面を提示することができる。すなわち、利用者の居住地域に応じて、別の購買機会がある産物と、別の購買機会がない産物とが異なるため、利用者の居住地域に応じて異なった産物一覧画面を提示することができる。
【００９６】
また、本実施形態によれば、当該サービスを利用している利用者に、参照している産物が、利用者の居住地近くで、旅行終了後に販売される機会について、当該産物についての販売機会に対する広告を提示することができる。
【００９７】
また、本実施形態によれば、別の販売機会がある産物について、物産展におけるクーポンを提示することで、当該産物の物産展における販売を促進することができる。
【００９８】
また、本実施形態によれば、予約情報がある利用者のみについて、当該サービスを提供することができる。これにより、確実に現地で産物を受け取れる人のみ、本実施形態に係る産物提示装置により提示された産物一覧に含まれる産物の購入を許可することが可能となる。なお、確実に現地で産物を受け取れる人とは、特定の日時に、特定の場所にいることが確かな人、即ち、本実施形態においては、朝市が開催される日に、朝市が開催される場所付近に宿泊予定または訪問予定のある人である。
【００９９】
なお、上記実施形態では、生成部６０で生成する産物一覧画面として、利用者に別の販売機会がある産物については、マークを付し、別の販売機会がない産物の下に表示する場合について説明したがこれに限定されるものではない。例えば、生成部６０で、図２４に示すように、利用者に別の販売機会がある産物については、マークを付し、別の販売機会がない産物については、マークを付さないで、予め定められたソート順に表示した産物一覧画面を生成してもよい。生成部６０は、別の販売機会がある産物と、別の販売機会がない産物とを混在させて表示させた産物一覧画面を生成することになる。また、生成部６０は、図２５に示すように、別の販売機会がある産物については、マークを付し、別の販売機会がない産物の上に表示してもよい。
【０１００】
また、生成部６０で生成する産物一覧画面について、別の販売機会がない産物については、マークを付して上から順に並べ、並べた下にマークを付さない別の販売機会がある産物を順に並べて表示する産物一覧画面を生成してもよい。
【０１０１】
また、生成部６０で生成する産物一覧画面について、別の購買機会がない産物と、別の購買機会がある産物とで、表示領域を分けてもよい。例えば、図２６に示すように、色付けした特定の欄の下に別の販売機会がない産物について表示し、さらにその下に色付けした特定の欄の下に別の販売機会がある産物を表示した産物一覧画面を生成してもよい。なお、生成部６０は、別の販売機会がない産物の表示と、別の販売機会がある産物の表示順を入れ替えて産物一覧画面を生成してもよい。また、生成部６０は、図２７に示すように、別の販売機会がない産物を同一の色で表示し、別の販売機会がある産物を別の同一の色で表示した産物一覧画面を生成してもよい。また、生成部６０は、別の販売機会がない産物に色を付して表示し、別の販売機会がある産物に色を付さないで表示した産物一覧画面を生成してもよい。また、生成部６０は、別の販売機会がある産物に色を付し、別の販売機会がない産物に色を付さないで表示した産物一覧画面を生成してもよい。
【０１０２】
また、生成部６０で生成する産物一覧画面については、図２８に示すように、ページ毎に、別の販売機会がない産物と、及び別の販売機会がある産物とを分けて表示した産物一覧画面を生成してもよい。
【０１０３】
また、生成部６０で生成する産物一覧画面については、図２９に示すように、産物が複数ページにまたがる場合、各ページ毎に別の販売機会がない商品を上位に表示し、表示した下に、別の販売機会がある商品を表示する産物一覧画面を生成してもよい。
【０１０４】
また、上記実施形態では、生成部６０で生成する産物情報画面において、別の販売機会がある産物の産物情報画面にクーポン発行の情報を表示する場合について説明したが、これに限定されるものではない。例えば、生成部６０において、図３０に示すように、クーポンに関する表示をせずに、物産展情報と、産物の情報とを合わせた産物情報画面を表示するように産物情報画面を生成してもよい。
【０１０５】
また、上記実施形態では、物産展特定部５６で、利用者のチェックアウト日以降の一定期間内に実施される物産展を対象として、対象となる物産展を取得する場合について説明したが、これに限定されるものではない。例えば、物産展特定部５６は、現時点以降の一定期間内に実施される物産展を対象として、対象となる物産展を取得してもよい。
【０１０６】
また、上記実施形態では、物産展特定部５６で、利用者のチェックアウト後に利用者の居住地域において開催される物産展名を特定する場合について説明したが、これに限定されるものではない。例えば、物産展特定部５６において、利用者のチェックアウト後に利用者の居住地域から予め定められた一定範囲において開催される物産展名を特定してもよい。また、一定範囲は、居住地域から半径何キロ以内等の閾値によりあらわしてもよい。
【０１０７】
また、上記実施形態では、各ＤＢに各リストを記憶している場合について説明したが、ＤＢは単にリストの格納の仕方の一例であって、これに限定されるものではない。例えば、リストに含まれる情報を検索し参照できる状態で格納できるものであれば、ＤＢという形式にこだわる必要はない。
【０１０８】
また、上記実施形態では、利用者の居住地域において開催される物産展に出品される産物について、別の販売機会があると判定する場合について説明したが、これに限定されるものではない。例えば、利用者の居住地域において開催される物産展に限定されず、物産展に出品される産物について、別の販売機会があると判定してもよい。
【０１０９】
また、上記では、開示する技術に係る各プログラムの一例である認証プログラム３００、産物提示プログラム３２０、及び産物情報提示プログラム３４０が記憶装置２０６に予め記憶（インストール）されている態様を説明したが、これに限定されない。開示の技術に係る各プログラムは、ＣＤ−ＲＯＭ、ＤＶＤ−ＲＯＭ、ＵＳＢメモリ等の記録媒体に記録された形態で提供することも可能である。
【０１１０】
以上の実施形態に関し、更に以下の付記を開示する。
【０１１１】
（付記１）
第一の販売場所で販売される商品の各々について、前記商品に関する前記第一の販売場所を含む１以上の販売場所情報に基づいて、前記第一の販売場所以外の第二の販売場所で販売される商品か否かを判定し、
前記第二の販売場所で販売されると判定された商品を判別可能な状態で、前記第一の販売場所で販売される商品の各々に関する情報を提示する、
ことを含む処理をコンピュータに実行させる商品提示プログラム。
（付記２）
前記第一の販売場所で販売される商品の各々に関する情報を提示する処理は、前記第二の販売場所で販売されないと判定された商品と、前記第二の販売場所で販売されると判定された商品とを、所定のマークの別、色の別、または、表示領域の別により判別可能な状態で提示する処理であることを特徴とする付記１記載の商品提示プログラム。
（付記３）
前記第一の販売場所で販売される商品の各々に関する情報を提示する処理は、前記第二の販売場所で販売されないと判定された商品を、前記第二の販売場所で販売されると判定された商品よりも上位に並べ替えて、前記第一の販売場所で販売される商品の各々に関する情報を提示する付記１又は２記載の商品提示プログラム。
（付記４）
前記第一の販売場所で販売される商品の各々に関する情報を提示する処理は、前記第二の販売場所で販売されないと判定された商品を、前記第二の販売場所で販売されると判定された商品よりも下位に並べ替えて、前記第一の販売場所で販売される商品の各々に関する情報を提示する付記１又は２記載の商品提示プログラム。
（付記５）
さらに、前記提示された、前記第一の販売場所で販売される商品の各々に関する情報のうち、選択指示により選択された商品の前記販売場所情報に基づいて、前記商品が販売される前記第二の販売場所に関する情報を提示することを含む付記１〜付記４の何れか１項記載の商品提示プログラム。
（付記６）
前記商品が販売される前記第二の販売場所に関する情報を提示する処理は、予め用意された利用者に関する地域情報と、前記選択指示により選択された商品の前記販売場所情報とに基づいて、前記利用者に関する地域情報に対応する、前記商品が販売される前記第二の販売場所に関する情報を提示する付記５記載の商品提示プログラム。
（付記７）
前記商品が販売される前記第二の販売場所に関する情報を提示する処理は、前記利用者に関する地域情報と、前記選択指示により選択された商品の前記販売場所情報とに基づいて、前記利用者に関する地域情報に含まれる場所から一定範囲内における、前記商品が販売される前記第二の販売場所に関する情報を提示する付記６記載の商品提示プログラム。
（付記８）
前記販売場所情報は、前記商品に関する販売時期に関する情報を含み、
前記商品が販売される前記第二の販売場所に関する情報を提示する処理は、前記商品が販売される前記第二の販売場所のうち、現時点から所定期間内に存在する、前記商品が販売される前記第二の販売場所での販売機会に関する情報を提示する付記５〜付記７の何れか１項記載の商品提示プログラム。
（付記９）
前記販売場所情報は、前記商品に関する販売時期に関する情報を含み、
前記第一の販売場所で販売される商品の各々を提示する処理は、利用者の宿泊予約の期間内に、前記宿泊予約の場所に関する前記第一の販売場所で販売される商品の各々に関する情報を提示し、
前記商品が販売される前記第二の販売場所に関する情報を提示する処理は、前記利用者の宿泊予約の期間終了時から所定期間内に前記商品が販売される前記第二の販売場所に関する情報を提示する付記５〜付記７の何れか１項記載の商品提示プログラム。
（付記１０）
前記第一の販売場所で販売される商品の各々に関する情報を提示する処理は、利用者の予定情報と、前記商品の販売時期及び販売場所の情報とに基づいて、前記商品が前記利用者に提供可能であると判定される場合に、前記利用者において前記第二の販売場所で販売されると判定された商品を判別可能な状態で、前記第一の販売場所で販売される商品の各々に関する情報を提示する付記８又は９に記載の商品提示プログラム。
（付記１１）
第一の販売場所で販売される商品の各々について、前記商品に関する前記第一の販売場所を含む１以上の販売場所情報に基づいて、前記第一の販売場所以外の第二の販売場所で販売される商品か否かを判定し、
前記第二の販売場所で販売されると判定された商品を判別可能な状態で、前記第一の販売場所で販売される商品の各々に関する情報を提示する、
ことを含む処理をコンピュータに実行させる商品提示方法。
（付記１２）
前記第一の販売場所で販売される商品の各々に関する情報を提示する処理は、前記第二の販売場所で販売されないと判定された商品と、前記第二の販売場所で販売されると判定された商品とを、所定のマークの別、色の別、または、表示領域の別により判別可能な状態で提示する処理であることを特徴とする付記１１記載の商品提示方法。
（付記１３）
前記第一の販売場所で販売される商品の各々に関する情報を提示する処理は、前記第二の販売場所で販売されないと判定された商品を、前記第二の販売場所で販売されると判定された商品よりも上位に並べ替えて、前記第一の販売場所で販売される商品の各々に関する情報を提示する付記１１又は１２記載の商品提示方法。
（付記１４）
前記第一の販売場所で販売される商品の各々に関する情報を提示する処理は、前記第二の販売場所で販売されないと判定された商品を、前記第二の販売場所で販売されると判定された商品よりも下位に並べ替えて、前記第一の販売場所で販売される商品の各々に関する情報を提示する付記１１又は１２記載の商品提示方法。
（付記１５）
さらに、前記提示された、前記第一の販売場所で販売される商品の各々に関する情報のうち、選択指示により選択された商品の前記販売場所情報に基づいて、前記商品が販売される前記第二の販売場所に関する情報を提示することを含む付記１１〜付記１４の何れか１項記載の商品提示方法。
（付記１６）
前記商品が販売される前記第二の販売場所に関する情報を提示する処理は、予め用意された利用者に関する地域情報と、前記選択指示により選択された商品の前記販売場所情報とに基づいて、前記利用者に関する地域情報に対応する、前記商品が販売される前記第二の販売場所に関する情報を提示する付記１５記載の商品提示方法。
（付記１７）
前記商品が販売される前記第二の販売場所に関する情報を提示する処理は、前記利用者に関する地域情報と、前記選択指示により選択された商品の前記販売場所情報とに基づいて、前記利用者に関する地域情報に含まれる場所から一定範囲内における、前記商品が販売される前記第二の販売場所に関する情報を提示する付記１６記載の商品提示方法。
（付記１８）
前記販売場所情報は、前記商品に関する販売時期に関する情報を含み、
前記商品が販売される前記第二の販売場所に関する情報を提示する処理は、前記商品が販売される前記第二の販売場所のうち、現時点から所定期間内に存在する、前記商品が販売される前記第二の販売場所での販売機会に関する情報を提示する付記１５〜付記１７の何れか１項記載の商品提示方法。
（付記１９）
前記販売場所情報は、前記商品に関する販売時期に関する情報を含み、
前記第一の販売場所で販売される商品の各々を提示する処理は、利用者の宿泊予約の期間内に、前記宿泊予約の場所に関する前記第一の販売場所で販売される商品の各々に関する情報を提示し、
前記商品が販売される前記第二の販売場所に関する情報を提示する処理は、前記利用者の宿泊予約の期間終了時から所定期間内に前記商品が販売される前記第二の販売場所に関する情報を提示する付記１５〜付記１７の何れか１項記載の商品提示方法。
（付記２０）
前記第一の販売場所で販売される商品の各々に関する情報を提示する処理は、利用者の予定情報と、前記商品の販売時期及び販売場所の情報とに基づいて、前記商品が前記利用者に提供可能であると判定される場合に、前記利用者において前記第二の販売場所で販売されると判定された商品を判別可能な状態で、前記第一の販売場所で販売される商品の各々に関する情報を提示する付記１８又は付記１９の何れか１項記載の商品提示方法。
（付記２１）
第一の販売場所で販売される商品の各々について、前記商品に関する前記第一の販売場所を含む１以上の販売場所情報に基づいて、前記第一の販売場所以外の第二の販売場所で販売される商品か否かを判定する判定部と、
前記第二の販売場所で販売されると判定された商品を判別可能な状態で、前記第一の販売場所で販売される商品の各々に関する情報を提示する生成部と、
を含む、商品提示装置。
（付記２２）
前記生成部は、前記第二の販売場所で販売されないと判定された商品と、前記第二の販売場所で販売されると判定された商品とを、所定のマークの別、色の別、または、表示領域の別により判別可能な状態で提示することを特徴とする付記２１記載の商品提示装置。
（付記２３）
前記生成部は、前記第二の販売場所で販売されないと判定された商品を、前記第二の販売場所で販売されると判定された商品よりも上位に並べ替えて、前記第一の販売場所で販売される商品の各々に関する情報を提示する付記２１又は２２記載の商品提示装置。
（付記２４）
前記生成部は、前記第二の販売場所で販売されないと判定された商品を、前記第二の販売場所で販売されると判定された商品よりも下位に並べ替えて、前記第一の販売場所で販売される商品の各々に関する情報を提示する付記２１又は２２記載の商品提示装置。
（付記２５）
前記生成部は、さらに、前記提示された、前記第一の販売場所で販売される商品の各々に関する情報のうち、選択指示により選択された商品の前記販売場所情報に基づいて、前記商品が販売される前記第二の販売場所に関する情報を提示することを含む付記２１〜付記２４の何れか１項記載の商品提示装置。
（付記２６）
前記生成部は、予め用意された利用者に関する地域情報と、前記選択指示により選択された商品の前記販売場所情報とに基づいて、前記利用者に関する地域情報に対応する、前記商品が販売される前記第二の販売場所に関する情報を提示する付記２５記載の商品提示装置。
（付記２７）
前記生成部は、前記利用者に関する地域情報と、前記選択指示により選択された商品の前記販売場所情報とに基づいて、前記利用者に関する地域情報に含まれる場所から一定範囲内における、前記商品が販売される前記第二の販売場所に関する情報を提示する付記２６記載の商品提示装置。
（付記２８）
前記販売場所情報は、前記商品に関する販売時期に関する情報を含み、
前記生成部は、前記商品が販売される前記第二の販売場所のうち、現時点から所定期間内に存在する、前記商品が販売される前記第二の販売場所での販売機会に関する情報を提示する付記２５〜付記２７の何れか１項記載の商品提示装置。
（付記２９）
前記販売場所情報は、前記商品に関する販売時期に関する情報を含み、
前記生成部は、利用者の宿泊予約の期間内に、前記宿泊予約の場所に関する前記第一の販売場所で販売される商品の各々に関する情報を提示し、前記利用者の宿泊予約の期間終了時から所定期間内に前記商品が販売される前記第二の販売場所に関する情報を提示する付記２５〜付記２７の何れか１項記載の商品提示装置。
（付記３０）
前記生成部は、利用者の予定情報と、前記商品の販売時期及び販売場所の情報とに基づいて、前記商品が前記利用者に提供可能であると判定される場合に、前記利用者において前記第二の販売場所で販売されると判定された商品を判別可能な状態で、前記第一の販売場所で販売される商品の各々に関する情報を提示する付記２８又は２９に記載の商品提示装置。
（付記３１）
第一の販売場所で販売される商品の各々について、前記商品に関する前記第一の販売場所を含む１以上の販売場所情報に基づいて、前記第一の販売場所以外の第二の販売場所で販売される商品か否かを判定する判定部と、
前記第二の販売場所で販売されると判定された商品を判別可能な状態で、前記第一の販売場所で販売される商品の各々に関する情報を提示する生成部と、
を含む、商品提示装置と、
前記利用者が商品の提示要求をする情報端末と、
を含む、商品提示システム。
（付記３２）
第一の販売場所で販売される商品の各々について、前記商品に関する前記第一の販売場所を含む１以上の販売場所情報に基づいて、前記第一の販売場所以外の第二の販売場所で販売される商品か否かを判定し、
前記第二の販売場所で販売されると判定された商品を判別可能な状態で、前記第一の販売場所で販売される商品の各々に関する情報を提示する、
ことを含む処理をコンピュータに実行させる商品提示プログラムを記憶した記録媒体。
【符号の説明】
【０１１２】
１     産物提示装置
２     ネットワーク
３     利用者端末
４     主催者端末
５     産物提示システム
３０   記憶部
５０   画面生成部
５２   認証部
５４   朝市特定部
５６   物産展特定部
５８   判定部
６０   生成部
６２   切替部
６４   登録部
１００ 会員情報リスト
１０２ 予約情報リスト
１０４ 朝市情報リスト
１０６ 宿泊施設情報リスト
１０８ 産物情報リスト
１１０ 物産展情報リスト
２００ コンピュータ
２０２ ＣＰＵ
２０４ メモリ
２０６ 記憶装置
３００ 認証プログラム
３２０ 産物提示プログラム
３４０ 産物情報提示プログラム
【図１】
2016110558.tif 000003
【図２】
2016110558.tif 000004
【図３】
2016110558.tif 000005
【図４】
2016110558.tif 000006
【図５】
2016110558.tif 000007
【図６】
2016110558.tif 000008
【図７】
2016110558.tif 000009
【図８】
2016110558.tif 000010
【図９】
2016110558.tif 000011
【図１０】
2016110558.tif 000012
【図１１】
2016110558.tif 000013
【図１２】
2016110558.tif 000014
【図１３】
2016110558.tif 000015
【図１４】
2016110558.tif 000016
【図１５】
2016110558.tif 000017
【図１６】
2016110558.tif 000018
【図１７】
2016110558.tif 000019
【図１８】
2016110558.tif 000020
【図１９】
2016110558.tif 000021
【図２０】
2016110558.tif 000022
【図２１】
2016110558.tif 000023
【図２２】
2016110558.tif 000024
【図２３】
2016110558.tif 000025
【図２４】
2016110558.tif 000026
【図２５】
2016110558.tif 000027
【図２６】
2016110558.tif 000028
【図２７】
2016110558.tif 000029
【図２８】
2016110558.tif 000030
【図２９】
2016110558.tif 000031
【図３０】
2016110558.tif 000032